(57)【要約】  【課題】二重構造のフレキシブルコンテナバッグの原料排出時にコンタミネーションが発生する機会を防止するとともに、原料排出時の労力とコストの削減に寄与するようなフレキシブルコンテナバッグ、およびその製造方法を提供する。  【解決手段】上面および底面にそれぞれ開閉可能な投入筒１２、２２および排出筒１６、２３を有し、内袋２１と外袋１１との二重構造からなるフレキシブルコンテナバッグ１において、内袋２１の排出筒２３の下端を上方外側に折り返して、外袋１１の排出筒１６の側面に固着したことを特徴とするフレキシブルコンテナバッグ。  【選択図】  図１
2005022736.tif 000002
【特許請求の範囲】
【請求項１】
上面および底面にそれぞれ開閉可能な投入筒および排出筒を有し、内袋と外袋との二重構造からなるフレキシブルコンテナバッグにおいて、内袋の排出筒の下端を上方外側に折り返して、外袋の排出筒側面に固着したことを特徴とするフレキシブルコンテナバッグ。
【請求項２】
前記フレキシブルコンテナバッグの排出筒を封止した状態で、その底面をシートで覆い、シートの端縁をフレキシブルコンテナバッグに添着したことを特徴とする、請求項１に記載のフレキシブルコンテナバッグ。
【請求項３】
上面および底面にそれぞれ開閉可能な投入筒および排出筒を有し、内袋と外袋との二重構造からなるフレキシブルコンテナバッグの製造方法であって、外袋の中に内袋を装着し、内袋の排出筒の下端を上方外側に全周にわたって折り返し、その下端を外袋排出筒の側面に固着することを特徴とする、フレキシブルコンテナバッグの製造方法。
【請求項４】
前記フレキシブルコンテナバッグの排出筒を封止した状態で、その底面をシートで覆い、シートの端縁をフレキシブルコンテナバッグに添着したことを特徴とする、請求項３に記載のフレキシブルコンテナバッグの製造方法。
【発明の詳細な説明】
【技術分野】
【０００１】
本発明は、フレキシブルコンテナバッグに関し、詳細には原料排出時に異物の混入を防止することの可能なフレキシブルコンテナバッグに関する。
【背景技術】
【０００２】
フレキシブルコンテナバッグ（以下、単に「フレコンバッグ」という。）は、粉状または粒状の原料を生産者から使用者へ輸送する際に使用される大型の袋状容器である。このフレコンバッグは、折りたたみ可能なように柔軟性の合成樹脂の基布で作られている。フレコンバッグには、使用者が一回限り使用するワンウエイタイプと、複数回使用するランニングタイプ（リターナブルタイプともいう）との二種類がある。ワンウエイタイプは、原料や製品に高い清浄度や純度が要求され、また、クロスコンタミネーションをきらう分野で重用され、あるいは利便性の面で好まれる態様である。一方、ランニングタイプは、原料などが同一のルートで定期的に搬送されるなど、ルール化された搬送条件の下で活用され、経済的かつ環境的に好ましい態様である。このタイプは、１回の使用後、洗浄、補修、内袋交換などの工程を経て再使用される。
【０００３】
現在、内容物の品質維持や搬送、保管時の安全性の確保のために、外袋と内袋との二重構造を採用したフレコンバッグが開発され、市販されている。内袋はインフレーション法などで清浄な状態に作られる。二重構造のフレコンバッグは、特に米穀物、加工食品、飼料、化学原料、プラスチック、医農薬などの分野で、原料や製品を保管および輸送する手段として常用される。
【発明の開示】
【発明が解決しようとする課題】
【０００４】
二重構造のフレコンバッグは、ランニングタイプ、ワンウエイタイプのどちらにしても、原料や製品の排出時に、異物が内容物と共に排出される危険が存在する。その原因として、内袋を外袋に装着する過程で、外袋と内袋との間に糸くず、作業工具類、ゴミ、虫類その他などの異物が不用意にまぎれることが挙げられる。さらに、原料や製品の入ったフレコンバッグを搬送する途中や屋内外で保管する間に、フレコンバッグの底部に埃、土、小石などの異物が付着し、この付着物が原料排出時に巻き込まれることもある。
【０００５】
これらの異物が原料排出時に原料中に混入すると、原料に要求される品質によっては重大な障害となる。そこで、異物の侵入を防止するために、通常、原料を排出する前に、フレコンバッグに付着した汚れや異物を入念に取り払うなどの対応策がとられる。しかし、汚れや異物を完全に除去することは難しく、また、汚れ除去のための設備費や除去作業のコストの増大が負担になっている。
【０００６】
本発明の目的は、二重構造のフレコンバッグの原料排出時にコンタミネーションが発生する機会を防止するとともに、原料排出時の労力とコストの削減に寄与するようなフレコンバッグ、およびその製造方法を提供することにある。
【課題を解決するための手段】
【０００７】
本発明者は、上記課題を鋭意検討した結果、上面および底面にそれぞれ開閉可能な投入筒および排出筒を有し、内袋と外袋との二重構造からなるフレキシブルコンテナバッグにおいて、内袋の排出筒下端を上方外側に折り返して、外袋の排出筒側面に固着したことを特徴とするフレキシブルコンテナバッグによって解決できることを見出した。さらに、前記フレキシブルコンテナバッグの排出筒を封止した状態で、その底面をシートで覆い、シートの端縁をフレキシブルコンテナバッグ本体に添着したことを特徴とする、前記のフレキシブルコンテナバッグによって、コンタミネーションが一層改善されることを見出した。
【発明の効果】
【０００８】
本発明のフレコンバッグによれば、外袋と内袋との間にまぎれ込んだ糸くず、作業工具類、虫類その他などの異物が原料排出時のコンタミネーションになる恐れがない。したがって、本発明のフレコンバッグは、特に原料、製品などの清浄度、純度が高いレベルで要求される分野での原料などの保管および搬送に好適である。さらに、本発明のフレコンバッグの底面にシートを取り付ければ、原料の仕込まれたフレコンバッグの保管、搬送時に付着する汚れや異物が原料排出時にコンタミネーションとなることも回避でき、原料排出時のより一層の安全を確保することができる。
【発明を実施するための最良の形態】
【０００９】
以下、添付する図面を参照しながら、本発明の実施の形態を詳細に説明する。図１は、本発明の一実施態様におけるフレコンバッグの概略全体を示した斜視図であり、図４は、図１のフレコンバッグの排出筒を拡大した断面図であり、図６は、図１のフレコンバッグの完成状態を示す底面図であり、図７は、図１のフレコンバッグの底部の拡大した断面図であり、図８は、図１のフレコンバッグの使用状態を示す底面図である。
【００１０】
図１の本発明のフレコンバッグ１は、通常、３００〜２０００Lの容積を持ち、粒状または紛状の原料、製品などを仕込み、保持、搬送するための容器である。フレコンバッグ１は、外袋１１と内袋２１とを備えている。
【００１１】
外袋１１は、通常、図１のような円筒型、または角型の形状を有する。フレコンバッグの充填量、使用目的、保管・輸送の形態、安全性、作業性などに応じて適宜の形状が選択される。
【００１２】
外袋１１は、柔軟性で折り畳み自在なように、ポリプロピレン（PP）、塩化ビニル樹脂（PVC）、エチレン酢酸ビニル共重合体（EVA）のような合成樹脂の織布またはゴムでできている。厚みは、通常、０．３〜３ｍｍである。これら材質および厚みは、フレコンバッグに求められる強度、密封性、防臭性、防湿性、原料の清浄度などに応じて、適宜選択される。
【００１３】
外袋１１の上面には、原料などの投入筒１２が設けられる。外袋投入筒１２は、図１のように、外袋１１の直径より径を絞っていてもよく、あるいは図２のように、フレコンバッグ上面の全面が開放型となっていてもよい。外袋投入筒１２は、PPなどでできたロープ１３または紐で結束することにより、封止できるようになっている。
【００１４】
外袋投入筒１２の基部には、羽根蓋の一辺を結着するように複数の羽根蓋１４を配設し、各羽根蓋に１本の結束用ロープ１５を挿通する。さらに、ロープ１３で結束された投入筒１２とロープ１５で結束された羽根蓋１４との間に、中蓋１８を挟むようにしてもよい。
【００１５】
外袋１１の底面には、原料などの内容物の排出筒１６が設けられる。排出筒１６の口径は、図１のような外袋底面の直径よりも絞ってある。
【００１６】
該排出筒１６は、通常、PPなどでできたロープ１７または紐で結束して封止できるようになっている。外袋排出筒１６とフレコンバッグ１本体との接合周部に、羽根蓋の一辺が固着するように複数の羽根蓋１４を配設し、各羽根蓋に１本の結束用ロープ１９を挿通し、ロープ１９を締めてもよい。これにより、底面の排出筒近傍の強度が増す。さらに、ロープ１７で結束された排出筒とロープ１９で結束された羽根蓋１４との間に、中蓋（図示せず）を挟むようにしてもよい。
【００１７】
図１の内袋２１は、上記外袋１１の形体に沿って挿入されるものである。この内袋２１は、主に原料などの品質を維持するために設けられ、内袋自体には強度があまり必要とされない。内袋の材質は、密封性、防湿性、清浄度などの要求を満足するものが選択される。通常は、PE、PVC、PPその他の合成樹脂のフィルムまたはゴムが採用される。内袋２１の寸法は、内袋２１が仕込み原料の重圧を受けないように外袋１１よりも若干大きく設定される。内袋２１の詳細な形状は寸胴でもよく、あるいは図１のように外袋１１と同型でもよい。内袋２１が寸胴の場合には、内袋２１の外袋１１に比べて余る部分は、外袋１１の内部にひだ状に折り込まれる。
【００１８】
内袋２１の上面には、内袋投入筒２２が外袋投入筒１２の内面に沿って延出している。内袋投入筒２２は外袋投入筒１２に固着されてもされていなくてもよい。図３に示すように、内袋投入筒２２の上端を、外側下方に折り返して、外袋投入筒１２の側面に固着してもよい。折り返すことは、外袋１１と内袋２１との隙間に異物などが入らなくする上に、内袋２１が外袋１１からずり落ちることを防止する点で有利である。
【００１９】
内袋２１の底面には、内袋排出筒２３が、外袋排出筒１６の内面に沿うように延出している。図４に、外袋排出筒１６および内袋排出筒２３の近傍断面を拡大して示しす。図４において、内袋排出筒２３の下端は、全周にわたって上方外側に折り返されて、外袋排出筒１６の側面に固着されている。折り返す長さは、通常、１〜１０ｃｍ、好ましくは３〜５ｃｍである。この折り返しによって、外袋排出筒１６と内袋排出筒２３との隙間が、下方に向けて開放しなくなる。そのため、たとえ外袋１１と内袋２１との間に、糸くず、作業工具類、ゴミ、虫類その他などの異物が不用意にまぎれることがあっても、原料排出時にコンタミネーションを発生させない。
【００２０】
図５は、図４の内袋排出筒２３の折り返し構造の別の実施態様である。図５では、内袋排出筒２３の下端は、全周にわたって上方外側に折り返された後、さらに下方内側に折り返されて、外袋排出筒１６の側面に固着されている。こうすると、内袋排出筒２３の端部が外部に露呈することがなくなるため、内袋排出筒の下端が摩擦などでほつれたとしても、ほつれた破片や糸などが落下することがない。したがって、原料排出時のコンタミネーションがより一層回避される。
【００２１】
内袋排出筒２３の下端を外袋排出筒１６の側面に固着する手段２４としては、図４に示すような縫着（手縫いまたはミシン縫い）、粘着テープの貼付、接着剤による接着、ヒートシール、高周波溶着、電磁溶着、振動溶着、超音波溶着などのような非再生式、あるいはマジックテープ（登録商標）のような面ファスナー、ジッパーなどの再生式がある。ワンウエイタイプのフレコンバッグでは、コスト面から非再生式の固着が好ましく、ランニングタイプのフレコンバッグでは面ファスナーなどの再生式が好ましい。なお、縫着や高周波溶着で非再生式に固着しても、排出筒１６，２３の丈を長くしておけば、使用後に固着部分を裁断することによって、再生可能である。
【００２２】
内袋排出筒２３の下端を外袋排出筒１６の側面への固着は、該側面の全周方向に連続していてもよく、あるいは等間隔に外れない程度の個数の点付けであってもよい。
【００２３】
本発明のフレコンバッグ１では、排出筒１６，２３を一体に封止した状態で、その底面を図６のようにシート３１で覆い、シート３１の端縁をフレコンバッグ１に添着することが好ましい。搬送、保管時に汚れ・異物がシート３１に付着しても、原料などの排出時にシート３１を取り除くことで、排出筒１６，２３は常に清浄に保たれる。
【００２４】
シート３１の形状は、図６のように外袋１１の底面を覆うものであれば、角型、丸型のいずれでもよい。また、シート３１の材質に特に制限はないが、通常、PP、PEなどの合成樹脂で作られる。シート３１の厚みは、通常、０．３〜３ｍｍである。
【００２５】
シート３１の添着手段３２として、図７に示すような縫着、粘着テープの貼付、接着剤による接着、ヒートシール、高周波溶着などの非再生式のものや、図９に示すようなマジックテープ（登録商標）のような面ファスナー、ジッパーなどの再生式のものが挙げられる。ワンウエイタイプのフレコンバッグでは、安全性、作業性、コスト面から縫着が好ましく、一方、ランニングタイプのフレコンバッグでは、マジックテープのような再生式のものが好ましい。
【００２６】
添着手段３２が縫着の場合、外袋１１をシート３１で覆った状態で、シート３１の周縁を外袋１１の底面または側面下部に縫い付ける。図７は、シート３１を外袋１１の底面に縫い付けた状態の拡大断面図を示している。
【００２７】
縫着は、シート３１の全周にわたって連続的であってもよく、全周にわたって等間隔に外れない程度の個数の点付けでもよく、あるいは図６のように全周の一部分は連続とし、残りを点付けとしてもよい。図６の態様は、シート３１を剥がしやすい上に、剥がしたシート３１が行方不明とならず、再利用性が向上する点で一層好ましい。
【００２８】
添着手段３２がマジックテープ（登録商標）のような面ファスナーの場合には、ループ側面テープおよびフック側面テープをそれぞれ外袋１１およびシート３１（その逆でもよい）に固着しておき、外袋１１の底面をシート３１で覆った状態で、シート３１の周縁を外袋１１の底面または側面下部に圧着する。図９は、シート３１の周縁を外袋１１の側面下部に圧着した状態の拡大断面図を示している。
【００２９】
添着は、シートの全周にわたって連続的であってもよく、全周にわたって等間隔に外れない程度の個数の点付けしてもよく、あるいは図６のように全周の一部分は連続圧着とし、残りを点付けしてもよい。さらにまた、ループ側面テープおよびフック側面テープの一方を全周に固着し、他方を点付けとしてもよい。こうすると、外袋１１をシート３１で覆う際に、面ファスナー同士を位置合わせする必要がなくなる点で有利である。
【００３０】
ジッパーまたはファスナーを取り付ける場合は、外袋１１の全周または一部に開閉自在に取り付ける。
【００３１】
以下に、本発明のフレコンバッグの製造方法を説明する。図１のような所定の形状を有する外袋１１および内袋２１を用意し、外袋１１の中に内袋２１を挿入する。内袋２１内に空気をブローして、内袋２１を外袋１１に沿わせる。次いで、内袋２１の排出筒２３の下端を上方外側に全周にわたって折り返して、その下端を外袋排出筒１６の側面に、固着手段２４などによって全周にわたって固着するか、あるいは等間隔に複数箇所固着する。適宜、図３のように、内袋２１の投入筒２２の上端を下方外側に全周にわたって折り返して、外袋投入筒１６の側面に、縫着手段などによって全周にわたって固着するか、あるいは等間隔に複数箇所固着する。次いで、外袋排出筒１６に取り付けられたロープ１７を結束することで、外袋排出筒１６と内袋排出筒２３とを一体に封止する。なお、外袋排出筒１６と内袋排出筒２３とは、別個に封止してもよい。次いで、結束されたロープ１７をフレコンバッグ底面に納めた後、中蓋１８を挟んだ後、羽根蓋１４に挿通されたロープ１９を緊縛する。最後に、図５に示すように、フレコンバッグ１の底面をシート３１で覆い、シート３１の周縁をフレコンバッグ１本体に添着した後、フレコンバッグ１を保管用に折り畳む。
【００３２】
以下に、本発明のフレコンバッグの使用方法を説明する。まず、図６の折り畳まれたフレコンバッグ１に、原料などを仕込む方法は、公知のフレコンバッグと同様である。原料の仕込まれたフレコンバッグ１を、搬送または保管後、サイロ、ホッパーなどの施設の上部に設けられた原料排出機構（図示せず）に、フレコンバッグの吊ベルト４１を吊架する。次いで、フレコンバッグ底面のシート３１を全面にわたり、または図８のように一部分のみ剥がし、排出筒１６，２３を露呈させる。複数の羽根蓋１８に挿通されたロープ１９を解き、中蓋１８を開け、さらに排出筒１６，２３を封止しているロープ１７を解いて、フレコンバッグ１内の原料を落下排出させる。
【００３３】
使用済みのフレコンバッグ１は、ワンウエイタイプの場合は、適宜処分する。ランニングタイプの場合は、洗浄し、補修し、さらにクロスコンタミネーションを防止するために内袋を適宜交換した後、上記したフレコンバッグの製造方法の手順に従って再生すればよい。
【産業上の利用可能性】
【００３４】
本発明のフレコンバッグによれば、フレコンバッグ製造時、フレコンバッグの原料仕込み時、フレコンバッグの搬送と保管時に由来するさまざまなコンタミネーションを防止することができる。本発明のフレコンバッグは、特に原料の清浄度、純度を高いレベルで要求する分野、例えば食品加工原料、飼料、米穀物、医薬・農薬の原料および中間体、化学工業原料、石油化学工業原料または製品を貯蔵または搬送する手段として好適である。
【図面の簡単な説明】
【００３５】
【図１】図１は、本発明の一実施形態であるフレキシブルコンテナバッグの概略斜視図である。
【図２】本発明のフレコンバッグの投入筒の別の実施態様を示した概略斜視図である。
【図３】本発明のフレコンバッグの投入筒の別の実施態様を示した概略斜視図である。
【図４】図１のフレコンバッグの排出筒の拡大断面図である。
【図５】図１のフレコンバッグの排出筒の別の実施態様における拡大断面図である。
【図６】図１のフレコンバッグを折り畳み、シートを添着した状態を示す底面図である。
【図７】図１のフレコンバッグの外袋とシートとの添着状態を示す拡大断面図である。
【図８】図１のフレコンバッグのシートを片開きした状態の底面図である。
【図９】図１のフレコンバッグの外袋とシートとの別の実施態様における添着状態を示す拡大断面図である。
【符号の説明】
【００３６】
１ フレコンバッグ
１１ 外袋
１２ 外袋投入筒
１３ ロープ
１４ 羽根蓋
１５ 結束用ロープ
１６ 外袋排出筒
１７ ロープ
１８ 中蓋
１９ 結束用ロープ
２１ 内袋
２２ 内袋投入筒
２３ 内袋排出筒
２４ 固着手段
３１ シート
３２ 添着手段
４１ 吊ベルト
【図１】
2005022736.tif 000003
【図２】
2005022736.tif 000004
【図３】
2005022736.tif 000005
【図４】
2005022736.tif 000006
【図５】
2005022736.tif 000007
【図６】
2005022736.tif 000008
【図７】
2005022736.tif 000009
【図８】
2005022736.tif 000010
【図９】
2005022736.tif 000011